(57)【要約】【課題】乾電池による応急運転を行える期間を長くすることが可能なガスコンロを提供する。【解決手段】ガスコンロは、回路部に電源を供給するための電源供給部（電源供給回路２０１）と、装置の動作に関する情報を表示する表示部（液晶表示器１５）と、回路部に含まれる制御部２０２ａと、を備える。電源供給回路２０１は、回路部に供給する電力を商用電源により生成するとともに、商用電源が途絶えた場合は、回路部に供給する電力を乾電池２０ａにより生成するよう構成されている。制御部２０２ａは、乾電池２０ａにより生成された電力が回路部に供給される場合、表示部を、商用電源により生成された電力が回路部に供給される場合に比べて、電力消費が低下する状態に制御する。【選択図】図３
2020118398.tif 000002
【特許請求の範囲】
【請求項１】
回路部に電源を供給するための電源供給部と、
装置の動作に関する情報を表示する表示部と、
前記回路部に含まれる制御部と、を備え、
前記電源供給部は、前記回路部に供給する電力を商用電源により生成するとともに、前記商用電源が途絶えた場合は、前記回路部に供給する電力を乾電池により生成するよう構成され、
前記制御部は、前記乾電池により生成された電力が前記回路部に供給される場合、前記表示部を、前記商用電源により生成された電力が前記回路部に供給される場合に比べて、電力消費が低下する状態に制御する、
ことを特徴とするガスコンロ。
【請求項２】
請求項１に記載のガスコンロにおいて、
前記制御部は、前記乾電池により生成された電力が前記回路部に供給される場合に、前記表示部を停止させる、
ことを特徴とするガスコンロ。
【請求項３】
請求項２に記載のガスコンロにおいて、
前記表示部よりも電力消費が少ない他の表示部を備え、
前記制御部は、前記乾電池により生成された電力が前記回路部に供給される場合に、前記他の表示部を動作させる、
ことを特徴とするガスコンロ。
【請求項４】
請求項３に記載のガスコンロにおいて、
前記表示部は、液晶表示器による表示部であり、
前記他の表示部は、ＬＥＤランプによる表示部である、
ことを特徴とするガスコンロ。
【請求項５】
請求項１に記載のガスコンロにおいて、
前記表示部は、半透過型の液晶表示器であり、
前記制御部は、前記商用電源により生成された電力が前記回路部に供給される場合、バックライトを点灯させて情報を表示する反射モードで前記表示部を動作させ、前記乾電池により生成された電力が前記回路部に供給される場合、バックライトを消灯させて情報を表示する透過モードで前記表示部を動作させる、
ことを特徴とするガスコンロ。
【発明の詳細な説明】
【技術分野】
【０００１】
本発明は、乾電池をバックアップ電源として用いるガスコンロに関する。
【背景技術】
【０００２】
従来、商用電源により動作可能なガスコンロでは、停電時等、商用電源の供給が途絶えた場合に、乾電池を使用した応急運転が可能となっている。たとえば、以下の特許文献１に、乾電池により応急運転を行うガスコンロが記載されている。
【先行技術文献】
【特許文献】
【０００３】
【特許文献１】特開２０１７−１０１８６５号公報
【発明の概要】
【発明が解決しようとする課題】
【０００４】
上記構成のガスコンロでは、商用電源の供給が復旧するまで間、なるべく長く乾電池を使用した応急運転を行えることが好ましい。
【０００５】
かかる課題に鑑み、本発明は、乾電池による応急運転を行える期間を長くすることが可能なガスコンロを提供することを目的とする。
【課題を解決するための手段】
【０００６】
本発明の主たる態様に係るガスコンロは、回路部に電源を供給するための電源供給部と、装置の動作に関する情報を表示する表示部と、前記回路部に含まれる制御部と、を備える。ここで、前記電源供給部は、前記回路部に供給する電力を商用電源により生成するとともに、前記商用電源が途絶えた場合は、前記回路部に供給する電力を乾電池により生成するよう構成される。そして、前記制御部は、前記乾電池により生成された電力が前記回路部に供給される場合、前記表示部を、前記商用電源により生成された電力が前記回路部に供給される場合に比べて、電力消費が低下する状態に制御する。
【０００７】
本態様に係るガスコンロによれば、停電等により商用電源が途絶えて、乾電池により生成された電力が回路部に供給される場合、表示部が、商用電源を用いた通常運転時に比べて電力消費が低下する状態に制御される。よって、応急運転時における乾電池の消耗を抑制でき、応急運転を行える期間を長くすることができる。
【０００８】
本態様に係るガスコンロにおいて、前記制御部は、前記乾電池により生成された電力が前記回路部に供給される場合に、前記表示部を停止させるよう構成され得る。
【０００９】
この構成によれば、乾電池を用いた応急運転時に表示部による電力消費を無くすことができる。よって、乾電池の寿命を効果的に延ばすことができ、応急運転を行える期間をより長くすることができる。
【００１０】
この場合、ガスコンロは、前記表示部よりも電力消費が少ない他の表示部を備え、前記制御部は、前記乾電池により生成された電力が前記回路部に供給される場合に、前記他の表示部を動作させるよう構成され得る。
【００１１】
この構成によれば、使用者は、乾電池を用いた応急運転時に、他の表示部によりガスコンロの動作を確認できる。よって、応急運転時においても適切に、ガスコンロを使用することができる。
【００１２】
この構成において、前記表示部は、たとえば、液晶表示器による表示部であり、前記他の表示部は、たとえば、ＬＥＤランプによる表示部である。
【００１３】
ＬＥＤランプは、液晶表示器に比べて、消費電力が顕著に小さい。よって、この構成によれば、乾電池を用いた応急運転時における消費電力を顕著に抑制でき、これにより、応急運転を行える期間を長くすることができる。
【００１４】
あるいは、前記表示部は、半透過型の液晶表示器とされ得る。この場合、前記制御部は、前記商用電源により生成された電力が前記回路部に供給される場合、バックライトを点灯させて情報を表示する反射モードで前記表示部を動作させ、前記乾電池により生成された電力が前記回路部に供給される場合、バックライトを消灯させて情報を表示する透過モードで前記表示部を動作させるよう構成され得る。
【００１５】
この構成によれば、応急運転時に液晶表示器のバックライトが消灯されるため、液晶表示器による電力消費を大きく低下させることができる。よって、応急運転を行える期間を長くすることができる。また、応急運転時には透過モードで表示部が動作するため、使用者は、応急運転時にも、液晶表示器により、ガスコンロに関する情報を把握できる。よって、応急運転時においても適切に、ガスコンロを使用することができる。
【発明の効果】
【００１６】
以上のとおり、本発明によれば、乾電池による応急運転を行える期間を長くすることが可能なガスコンロを提供することができる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１は、実施形態に係るガスコンロの構成を示す斜視図である。
【図２】図２は、実施形態に係るガスコンロの燃焼系の構成を示す図である。
【図３】図３は、実施形態に係るガスコンロの回路ブロック図である。
【図４】図４は、実施形態に係る、電源供給回路の構成を示す図である。
【図５】図５は、実施形態に係る、表示動作の制御を示すフローチャートである。
【図６】図６（ａ）〜（ｄ）は、実施形態に係る、点火ボタン周辺に配置されたＬＥＤランプの動作状態を示す図である。
【図７】図７は、変更例に係る、表示動作の制御を示すフローチャートである。
【発明を実施するための形態】
【００１９】
以下、本発明の一実施形態に係るガスコンロ１について図面を参照して説明する。ガスコンロ１は、通常運転時は商用電源により動作し、停電等、商用電源の供給が途絶えた場合に、乾電池を使用した応急運転が可能となっている。
【００２０】
図１は、ガスコンロ１の構成を示す斜視図である。
【００２１】
図１に示すように、ガスコンロ１は、コンロ本体２と、コンロ本体２の上部に設置された天板３とを備える。天板３には、３つのコンロ部４ａ、４ｂ、４ｃが配置されている。コンロ部４ａ、４ｂ、４ｃは、それぞれ、ガスを燃料として燃焼するガスバーナと、鍋等を設置するためのごとくとを備える。また、天板３の後部には、左右に並ぶように２つの排気口５が設けられている。
【００２２】
コンロ本体２の内部には、中央にグリル部６が設けられる。グリル部６には、上下にグリルバーナ（図示せず）が設けられ、グリルバーナの燃焼によりグリル調理が行われる。グリル部６から排気口５を通じて排気が行われる。
【００２３】
コンロ本体２の正面には、中央にグリル扉７が設けられる。グリル扉７の裏側にグリル皿（図示せず）が一体的に設けられ、グリル扉７を前方に移動させることで、グリル皿をグリル部６から外部へ引き出すことができる。また、コンロ本体２の正面には、グリル扉７の右側および左側に、それぞれ、コンロ部４ａ、４ｂ、４ｃ用の操作部８と、グリル部６用の操作部９とが設けられている。
【００２４】
操作部８は、３つのコンロ部４ａ、４ｂ、４ｃにそれぞれ対応する３つの点火ボタン１０と、カンガルーポケット型の操作パネル１１と、を含む。３つの点火ボタン１０は、各点火ボタン１０に対応するコンロ部４ａ、４ｂ、４ｃに点火するとき、および、点火しているコンロ部４ａ、４ｂ、４ｃを消火するときに操作される。また、点火ボタン１０を回転させることにより、コンロ部４ａ、４ｂ、４ｃのガスバーナに供給されるガスの流量が調節される。
【００２５】
各点火ボタン１０の周囲には、円弧状に並ぶ複数のＬＥＤランプ１０ａが配置されている。これらＬＥＤランプ１０ａは、点火ボタン１０に対する操作により調整されたガスの流量を示すためのものである。すなわち、ガスの流量に応じた数のＬＥＤランプ１０ａが点灯される。
【００２６】
また、各点火ボタン１０の近傍に、応急運転時に点灯されるＬＥＤランプ１０ｂが配置されている。ＬＥＤランプ１０ｂは、乾電池を使用した応急運転時において、各点火ボタン１０を用いて着火が行われた場合に点灯する。商用電源を使用した通常運転時には、各点火ボタン１０を用いて着火が行われても、ＬＥＤランプ１０ｂは点灯しない。
【００２７】
操作パネル１１には、コンロ部４ａ、４ｂ、４ｃに関する所定の設定を入力するための複数の操作キー１１ａが配置されている。操作キー１１ａは、押圧式の操作キーである。各操作キー１１ａには、その背後にＬＥＤが配置されている。ＬＥＤが点灯すると、操作キー１１ａが点灯する。各操作キー１１ａの表面には、各操作キー１１ａの機能を示す文字や記号、図柄等が付記されている。
【００２８】
操作部９は、点火ボタン１２と、カンガルーポケット型の操作パネル１３と、を含む。点火ボタン１２は、グリル部６のグリルバーナに点火するとき、および、点火しているグリルバーナを消火するときに操作される。また、点火ボタン１２を回転させることにより、グリル部６のグリルバーナに供給される燃料ガスの流量が調節される。
【００２９】
点火ボタン１２の周囲にも、点火ボタン１０と同様、燃料ガスの流量を示すための複数のＬＥＤランプ１２ａが配置されている。また、点火ボタン１２の近傍にも、応急運転時に点灯されるＬＥＤランプ１２ｂが配置されている。ＬＥＤランプ１２ｂの動作は、ＬＥＤランプ１０ｂと同様である。
【００３０】
操作パネル１３には、グリル部６に関する所定の設定を入力するための複数の操作キー１３ａが配置されている。操作キー１３ａは、押圧式の操作キーである。各操作キー１３ａには、その背後にＬＥＤが配置されている。ＬＥＤが点灯すると、操作キー１３ａが点灯する。各操作キー１３ａの表面には、各操作キー１３ａの機能を示す文字や記号、図柄等が付記されている。
【００３１】
操作パネル１１、１３は、下端を軸として前後に回動可能となっている。操作パネル１１、１３は、図１に示した第１の状態において、上面の操作キー群が外部に開放され、これら操作キー群に対する操作入力を受け付けることができる。
【００３２】
図１に示した第１の状態から操作パネル１１、１３が後方に押し込まれると、操作パネル１１、１３は、前面がコンロ本体２の前面と面一となる第２の状態にロックされる。この第２の状態において、操作パネル１１、１３上面の操作キー群は、コンロ本体２内に収納されて外部から遮蔽されるため、操作パネル１１、１３は、これら操作キー群に対する操作入力を受け付けることができない。操作パネル１１、１３は、第２の状態において前面が押されることによりロックが解除され、バネ等の弾性力によって前方に回動し、図１に示す第１の状態に復帰する。
【００３３】
さらに、コンロ本体２の正面右端には、ガスコンロ１を起動するための電源スイッチ１４が設けられている。また、天板３の前側中央に液晶表示器１５が配置され、コンロ本体２の正面左端にＬＥＤランプ１６が配置されている。
【００３４】
電源スイッチ１４は、ガスコンロ１に電源を投入するためのスイッチである。液晶表示器１５は、ガスコンロ１の動作に関する情報を表示するための表示部である。ＬＥＤランプ１６は、ガスコンロ１が乾電池を用いて動作する場合に点灯される。ＬＥＤランプ１６は、乾電池を用いた動作状態において、ガスコンロ１が運転待機中である場合も、電源スイッチ１４がオン状態にあれば、点灯する。
【００３５】
本実施形態では、液晶表示器１５として、反射型の液晶表示器が用いられる。すなわち、液晶表示器１５は、バックライト用の光源を備え、バックライトにより背面から照明されることにより、液晶により表示された文字や記号等が視認可能となる。液晶表示器１５は、スタンバイポートに信号が印加されると動作を停止し、スタンバイポートに信号が印加されていない場合に動作する。
【００３６】
ガスコンロ１に調理等の機能を設定する場合、液晶表示器１５にこれら機能を設定するための画面が表示される。このとき、操作キー１１ａまたは操作キー１３ａのうち、各設定において操作されるべき操作ボタンが点灯される。これにより、使用者は、どの操作ボタンを操作すべきかを把握できる。使用者は、液晶表示器１５の表示内容に従って、操作キー１１ａまたは操作キー１３ａに対する操作を行う。これにより、使用者が所望する機能がガスコンロ１に設定される。
【００３７】
この他、液晶表示器１５には、設定された機能の進行状況を示す情報や、使用者に所定の操作を促すための情報、および各種エラーを報知するための情報などが表示される。使用者は、これらの情報を参照することにより、ガスコンロ１の状態を把握することができる。
【００３８】
図２は、ガスコンロ１の燃焼系の構成を示す図である。
【００３９】
ガスコンロ１は、燃焼系の構成として、ガスバーナ１０１〜１０３と、グリルバーナ１０４、１０５を備える。
【００４０】
ガスバーナ１０１〜１０３は、それぞれ、コンロ部４ａ〜４ｃに設置される。グリルバーナ１０４、１０５は、グリル部６に設置される。グリルバーナ１０４は下側のバーナであり、グリルバーナ１０５は上側のバーナである。
【００４１】
ガスバーナ１０１〜１０３に着火を行うための点火器１１１〜１１３と、グリルバーナ１０４、１０５に着火を行うための点火器１１４、１１５が設けられている。また、ガスバーナ１０１〜１０３が着火したことを検出するための熱電対１２１〜１２３と、グリルバーナ１０４、１０５が着火したことを検出するための熱電対１２４、１２５が設けられている。
【００４２】
ガスバーナ１０１〜１０３およびグリルバーナ１０４、１０５には、配管１３０〜１３４を介して、燃料ガス（以下、単に「ガス」という）が供給される。配管１３０から、４つの配管１３１〜１３４が分岐し、さらに配管１３４から２つの配管１３４ａ、１３４ｂが分岐している。配管１３１〜１３３が、それぞれ、ガスバーナ１０１〜１０３に接続され、配管１３４ａ、１３４ｂが、それぞれ、グリルバーナ１０４、１０５に接続されている。
【００４３】
配管１３０には、ガスの導通および遮断を制御するための元ガス電磁弁１４０が設けられている。また、配管１３１〜１３４には、それぞれ、ガスの導通および遮断を制御するための安全弁１４１〜１４４が設けられている。さらに、配管１３１〜１３４には、それぞれ、ガスの流量を制御するための流量調節弁（以下、「流調弁」という）１５１〜１５４が設けられている。流調弁１５１〜１５４は、ステッピングモータ１５１ａ〜１５４ａによって駆動され、開放量が制御される。この他、配管１３４ｂには、ガスの流通を遮断するための閉止電磁弁１６１が設けられている。
【００４４】
元ガス電磁弁１４０と、安全弁１４１〜１４４および閉止電磁弁１６１が開放されることにより、ガスバーナ１０１〜１０３とグリルバーナ１０４、１０５にガスが供給される。ステッピングモータ１５１ａ〜１５４ａにより流調弁１５１〜１５４の開放量が調節されることにより、ガスバーナ１０１〜１０３とグリルバーナ１０４、１０５に供給されるガスの量が調節される。グリル部６において、下側のグリルバーナ１０４のみが用いられる場合、閉止電磁弁１６１が閉じられる。こうして、コンロ部４ａ〜４ｃおよびグリル部６において、燃焼動作が行われる。
【００４５】
図３は、本実施の形態に係る、ガスコンロ１の回路ブロック図である。
【００４６】
ガスコンロ１は、電池装着部２０と、電源供給回路２０１と、制御部２０２ａ、２０２ｂとを備えている。ここでは、２つの制御部２０２ａ、２０２ｂが通信回路２０２ｃを介して通信することにより、ガスコンロ１の制御が行われる。すなわち、２つの制御部２０２ａ、２０２ｂと通信回路２０２ｃとによって、制御ユニットが構成される。
【００４７】
電池装着部２０には、たとえば、６つの乾電池２０ａが装着される。装着された乾電池２０ａの電力が、電源供給回路２０１に供給される。
【００４８】
電源供給回路２０１は、商用電源（交流１００ボルト）または乾電池２０ａから供給される電圧（直流９ボルト）をもとに、各回路部に必要な電圧を生成する。通常の動作状態において、電源供給回路２０１は、商用電源から供給される電圧をもとに、各回路部に必要な電圧を生成する。この場合、電池装着部２０には、乾電池２０ａが装着されない。停電時等、商用電源からの電圧が途絶えた場合に、使用者は、電池装着部２０に乾電池２０ａを装着する。これにより、電源供給回路２０１に乾電池からの電圧が供給され、電源供給回路２０１によって、各回路部に必要な電圧が供給される。こうして、ガスコンロ１が、乾電池２０ａを用いた応急運転が可能な状態となる。
【００４９】
制御部２０２ａ、２０２ｂは、たとえば、マイクロコンピュータにより構成される。制御部２０２ａ、２０２ｂは、それぞれ、内蔵メモリに格納されたプログラムに従って各部を制御する。
【００５０】
さらに、ガスコンロ１は、点火回路２０３と、元ガス弁回路２０４と、閉止弁回路２０５と、安全弁回路２０６と、流調弁回路２０７と、熱電対回路２０８とを備えている。これらの回路部は、右側の制御部２０２ｂによって制御される。
【００５１】
点火回路２０３、元ガス弁回路２０４、閉止弁回路２０５および安全弁回路２０６は、それぞれ、制御部２０２ｂからの制御に応じて、点火器１１１〜１１４、元ガス電磁弁１４０、閉止電磁弁１６１および安全弁１４１を駆動する。
【００５２】
流調弁回路２０７は、制御部２０２ｂからの制御に応じて、ステッピングモータ１５１ａを駆動し、流調弁回路２０７の開放量を変化させる。熱電対回路２０８は、熱電対１２１の検出値を取得して、制御部２０２ｂに送信する。
【００５３】
なお、安全弁回路２０６、流調弁回路２０７および熱電対回路２０８からなる回路ユニット２２０は、コンロ部４ａ〜４ｃおよびグリル部６ごとに設けられている。便宜上、図３には、コンロ部４ａの回路ユニット２２０のみが図示されている。
【００５４】
さらに、ガスコンロ１は、電源スイッチ検出回路２０９と、操作キー回路２１０と、表示回路２１１と、発光回路２１２とを備えている。これらの回路部は、左側の制御部２０２ａによって制御される。
【００５５】
電源スイッチ検出回路２０９は、電源スイッチ１４のオン／オフを検出し、検出結果を制御部２０２ａに送る。操作キー回路２１０は、操作キー１１ａ、１３ａに対する操作を検出し、検出結果を制御部２０２ａに送る。また、操作キー回路２１０は、制御部２０２ａからの制御に応じて、操作キー１１ａ、１３ａのＬＥＤを点灯させる。表示回路２１１は、制御部２０２ａからの制御に応じて、図１に示した液晶表示器１５を駆動する。発光回路２１２は、制御部２０２ａからの制御に応じて、図１に示したＬＥＤランプ１０ａ、１０ｂ、１２ａ、１２ｂ、１６を駆動する。
【００５６】
この他、ガスコンロ１は、各種センサの検出結果を処理して制御部２０２ｂに供給する回路や、制御部２０２ａからの制御に応じて発音する発音器等を備えている。
【００５７】
燃焼動作時には、元ガス弁回路２０４により元ガス電磁弁１４０が開放され、さらに、安全弁回路２０６によって、燃焼対象のバーナに対応する安全弁１４１が開放される。燃焼対象のバーナにグリルバーナ１０５が含まれる場合、閉止弁回路２０５により閉止電磁弁１６１が開放される。次いで、点火回路２０３により点火器１１１〜１１４が駆動され、燃焼対象のバーナに着火が行われる。熱電対回路２０８により燃焼対象のバーナの着火が検出されると、点火動作が終了される。さらに、点火ボタン１０ａ〜１０ｃ、１２の回動量に対応するガス量となるように、流調弁回路２０７によって、燃焼対象のバーナに対応するステッピングモータ１５１ａ〜１５４ａが駆動され、ガス量が調節される。こうして、燃焼対象のバーナにおいて、使用者が所望するガス量（燃焼レベル）で燃焼動作が行われる。
【００５８】
図４は、電源供給回路２０１の構成を示す図である。
【００５９】
電源供給回路２０１は、直流変換回路２２１と、降圧回路２２２と、ＤＣＤＣコンバータ２２３と、スイッチング回路２２４と、抵抗２２５、２２６と、ダイオード２２７〜２２９とを備えている。
【００６０】
直流変換回路２２１は、商用電源から供給される交流１００ボルトの電圧を、直流電圧Ｖ０（たとえば、１２ボルト）に変換する。直流変換回路２２１は、たとえば、ＡＣ／ＤＣアダプタにより構成される。降圧回路２２２は、直流変換回路２２１または乾電池２０ａから供給される電圧を降圧させて直流電圧Ｖ１（たとえば、３．３ボルト）を生成する。ＤＣＤＣコンバータ２２３は、降圧回路２２２により生成された電圧Ｖ１により、一定電圧Ｖ２（たとえば、３ボルト）を生成する。
【００６１】
スイッチング回路２２４は、複数の抵抗とトランジスタにより構成され、電圧Ｖ０の有無に応じてハイおよびローの信号を制御部２０２ａに供給する。直流変換回路２２１から電圧Ｖ０が出力されている場合、スイッチング回路２２４の出力はハイとなる。また、直流変換回路２２１から電圧Ｖ０が出力されていない場合、スイッチング回路２２４の出力はローとなる。スイッチング回路２２４からの信号は、制御部２０２ａの電圧検出用の入力ポートＰ１に入力される。
【００６２】
抵抗２２５、２２６は、乾電池２０ａから供給される電圧を制御部２０２ａに入力可能な電圧に分圧して、制御部２０２ａに供給する。抵抗２２５、２２６で分圧された電圧は、制御部２０２ａのＡＤ（Analog/Digital）変換用の入力ポートＰ２に入力される。ダイオード２２７〜２２９は、逆流防止用のダイオードである。
【００６３】
ここで、降圧回路２２２で生成された電圧Ｖ１は、図３に示す左側の制御部２０２ａと、当該制御部２０２ａによって制御される各回路部に供給される。したがって、液晶表示器１５には、この電圧Ｖ１が供給される。また、ＤＣＤＣコンバータ２２３で生成された電圧Ｖ２は、図３に示す右側の制御部２０２ｂと、当該制御部２０２ｂによって制御される各回路部に供給される。
【００６４】
制御部２０２ａは、スイッチング回路２２４から入力される信号によって、商用電源が供給されているか否かを判定する。停電時等、商用電源の供給が途絶えた場合、直流変換回路２２１から電圧Ｖ０が出力されないため、スイッチング回路２２４の出力はローとなる。この場合、制御部２０２ａは、商用電源の供給が途絶えていると判定する。また、制御部２０２ａは、抵抗２２５、２２６によって分圧された電圧によって、乾電池２０ａが装着されているか否かを判定し、さらに、この電圧の大きさによって、乾電池２０ａの消耗度合いを検出する。
【００６５】
ところで、図３に示した電源供給回路２０１では、停電等で商用電源からの電力供給が途絶えた場合に、上記のように、乾電池２０ａを使用した応急運転が可能となっている。すなわち、商用電源からの電力供給が途絶えてガスコンロ１が使用できなくなると、使用者は、電池装着部２０に６つの乾電池２０ａを装着して、ガスコンロ１を使用することができる。
【００６６】
ここで、乾電池２０ａを用いた使用状態は、あくまで商用電源が途絶えた場合の応急運転ではあるものの、応急運転時に、調理の途中で、電池切れにより再びガスコンロ１が使用できない状態になると、使用者は、所望の調理を完結できなくなってしまう。このような事態を避けるため、上記構成のガスコンロ１では、商用電源の供給が復旧するまで間、なるべく長く乾電池２０ａを使用した応急運転を行えることが好ましい。
【００６７】
そこで、本実施形態では、応急運転時に、ガスコンロ１における消費電力を抑制して、応急運転が可能な時間をなるべく長くする制御が行われる。以下、この制御について、説明する。
【００６８】
図５は、表示動作の制御を示すフローチャートである。
【００６９】
電源スイッチ１４がオンに設定されると（Ｓ１０１：ＹＥＳ）、制御部２０２ａは、ガスコンロ１が、商用電源を用いた通常運転の状態と、乾電池２０ａを用いた応急運転の状態の何れにあるかを判定する（Ｓ１０２）。具体的には、制御部２０２ａは、図４に示すスイッチング回路２２４から入力される電圧がハイ／ローの何れであるかを判定する。この電圧がハイの場合、制御部２０２ａは、ガスコンロ１が通常運転の状態にあるとして、ステップＳ１０２の判定をＮＯとする。他方、この電圧がローの場合、制御部２０２ａは、ガスコンロ１が応急運転の状態にあるとして、ステップＳ１０２の判定をＹＥＳとする。
【００７０】
ステップＳ１０２の判定がＮＯの場合、すなわち、ガスコンロ１が通常運転の状態にある場合、制御部２０２ａは、応急運転状態を表示するためのＬＥＤランプ１６を消灯させる（Ｓ１０６）。さらに、制御部２０２ａは、液晶表示器１５を動作状態に設定し（Ｓ１０７）、ガスコンロ１の表示モードを、液晶表示器１５を用いた表示モード（液晶表示モード）に設定する（Ｓ１０８）。この場合、上記のように、液晶表示器１５に、ガスコンロ１の動作に関する情報が表示される。
【００７１】
他方、ステップＳ１０２の判定がＹＥＳの場合、すなわち、ガスコンロ１が応急運転の状態にある場合、制御部２０２ａは、応急運転状態を表示するためのＬＥＤランプ１６を点灯させる（Ｓ１０３）。これにより、使用者は、ガスコンロ１が乾電池２０ａを電源として動作することを把握できる。また、制御部２０２ａは、液晶表示器１５のスタンバイポートに信号を印加して液晶表示器１５の動作を停止させ（Ｓ１０４）、さらに、ガスコンロ１の表示モードを、ＬＥＤランプ１０ｂ、１２ｂを用いた表示モード（ＬＥＤ表示モード）に設定する（Ｓ１０８）。この場合、液晶表示器１５に代えて、ＬＥＤランプ１０ｂ、１２ｂにより、ガスコンロ１の基本的な動作状態が簡易に表示される。
【００７２】
図６（ａ）〜（ｄ）は、点火ボタン１０周辺に配置されたＬＥＤランプ１０ａ、１０ｂの動作状態を示す図である。
【００７３】
図６（ａ）は、点火ボタン１０が操作されていない場合のＬＥＤランプ１０ａ、１０ｂの動作状態を示している。この場合、ＬＥＤランプ１０ａ、１０ｂの何れも点灯していない。
【００７４】
応急運転時において、使用者が、点火ボタン１０により、所定のコンロ部（コンロ部４ａ、４ｂ、４ｃ）に対する点火操作を行うと、図６（ｂ）に示すように、ＬＥＤランプ１０ｂが点灯する。これにより、使用者は、点火ボタン１０に対応するコンロ部が燃焼動作中であることを把握できる。
【００７５】
さらに、使用者が、点火ボタン１０を回動させてガス流量を調節すると、図６（ｃ）に示すように、複数のＬＥＤランプ１０ａのうち、左端のＬＥＤランプ１０ａを起点に、使用者により調節されたガス流量に応じた位置までのＬＥＤランプ１０ａが点灯する。これにより、使用者は、点火ボタン１０に対応するコンロ部の燃焼強度を把握できる。なお、点火後一定期間内にガス流量の調節がなされない場合、点火のためのガス流量に応じた位置までのＬＥＤランプ１０ａが点灯する。
【００７６】
なお、通常運転時に、使用者が、点火ボタン１０により点火操作とガス流量の調節を行った場合、図６（ｄ）に示すように、応急運転時の燃焼動作を示すＬＥＤランプ１０ｂは点灯することなく、ガス流量を示すＬＥＤランプ１０ａのみが点灯する。この場合、点火ボタン１０に対応するコンロ部が動作中であることは、液晶表示器１５の方に表示される。
【００７７】
図６（ａ）〜（ｄ）には、３つの点火ボタン１０のうち１つに対して配置されたＬＥＤランプ１０ａ、１０ｂの動作状態を示したが、他の点火ボタン１０に対して配置されたＬＥＤランプ１０ａ、１０ｂの動作状態およびグリル部側の点火ボタン１２に対して配置されたＬＥＤランプ１２ａ、１２ｂの動作状態も、図６（ａ）〜（ｄ）の場合と同様である。
【００７８】
なお、応急運転時には、図１に示した操作キー１１ａ、１３ａのうち、液晶表示器１５の表示と連携する操作ボタンは操作不可に設定され、液晶表示器１５の表示と連携しない操作ボタンのみが操作可能に設定される。たとえば、炊飯機能に関する操作キー１１ａは、液晶表示器１５の表示と連携しないため、操作可能に設定される。このとき、操作不可の操作ボタンについては、その背面に配置されたＬＥＤの点灯制御が行われず、操作可能な操作ボタンのみ、その背面に配置されたＬＥＤの点灯制御が行われる。
【００７９】
図５に戻り、上記の処理によりガスコンロ１の表示モードを設定した後（Ｓ１０５、Ｓ１０８）、制御部２０２ａは、電源スイッチ１４がオフに切り換えられたか否かを判定する（Ｓ１０９）。電源スイッチ１４がオフに切り換えられていない場合（Ｓ１０９：ＮＯ）、制御部２０２ａは、処理をステップＳ１０２に戻して、上記と同様の処理を行う。制御部２０２ａは、電源スイッチ１４がオフに切り替えられるまで、ステップＳ１０２〜Ｓ１０８の処理を繰り返す。
【００８０】
ここで、たとえば、停電後に乾電池２０ａが電池装着部２０に装着されて応急運転が開始された後、停電が解消して商用電源が復旧すると、制御部２０２ａは、ステップＳ１０２の判定をＮＯとして、ステップＳ１０６の処理へと進める。この場合、制御部２０２ａは、応急運転時に点灯されたＬＥＤランプ１６を消灯させた後（Ｓ１０６）、液晶表示器１５を動作状態に復帰させ（Ｓ１０７）、さらに、ガスコンロ１の表示モードを液晶表示モードに切り替える（Ｓ１０８）。これにより、使用者は、液晶表示器１５を用いて調理を進めることができる。その後、調理が終了し、使用者が電源スイッチ１４をオフに切り換えると、制御部２０２ａは、ステップＳ１０９の判定をＹＥＳとして、図５の制御を終了する。
【００８１】
なお、商用電源の復旧に応じて、ガスコンロ１が通常運転に復帰すると、制御部２０２ａは、図５のステップＳ１０７において液晶表示器１５を動作状態に復帰させたことに応じて、液晶表示器１５に、乾電池２０ａを電池装着部２０から抜き取ることを要求する情報を表示させる。具体的には、制御部２０２ａは、図４に示した入力ポートＰ１、Ｐ２の両方に信号が入力されている場合に、液晶表示器１５に、乾電池２０ａを電池装着部２０から抜き取ることを要求する情報を表示させる。これに応じて、使用者は、乾電池２０ａを電池装着部２０から抜き取る。これにより、電池装着部２０に乾電池２０ａが装着されたまま放置されることを防ぐことができ、乾電池２０ａの液漏れを未然に防ぐことができる。
【００８２】
＜実施の形態の効果＞
本実施形態によれば、以下の効果が奏され得る。
【００８３】
停電等により商用電源が途絶えて、乾電池２０ａにより生成された電力が図３に示した回路部に供給される場合、液晶表示器１５（表示部）が、商用電源を用いた通常運転時に比べて電力消費が低下する状態に制御される。具体的には、乾電池２０ａを用いた応急運転時には、図５のステップＳ１０４により、液晶表示器１５が停止される。これにより、応急運転時における乾電池２０ａの消耗を抑制でき、応急運転を行える期間をより長くすることができる。
【００８４】
また、制御部２０２ａは、乾電池２０ａにより生成された電力により応急運転を行う場合、図５のステップＳ１０５により、表示モードを、より消費電力が小さいＬＥＤランプ１０ｂ、１２ｂ（他の表示部）を動作させるＬＥＤ表示モードに切り替えて、図６（ａ）〜（ｃ）のように、燃焼動作を表示させる。これにより、使用者は、乾電池２０ａを用いた応急運転時に、ＬＥＤランプ１０ｂ、１２ｂ（他の表示部）によりガスコンロ１の動作を確認できる。よって、応急運転時においても適切に、ガスコンロ１を使用することができる。
【００８５】
ここで、応急運転時には、表示に用いる機器が、液晶表示器１５からＬＥＤランプ１０ｂ、１２ｂに切り替えられる。一般に、ＬＥＤランプ１０ｂ、１２ｂは、液晶表示器１５に比べて、消費電力が顕著に小さい。よって、この構成によれば、乾電池２０ａを用いた応急運転時における消費電力を顕著に抑制でき、これにより、応急運転を行える期間を効果的に長くすることができる。
【００８６】
また、上記実施形態では、応急運転時に、ＬＥＤランプ１６が点灯される。これにより、使用者は、ガスコンロ１が乾電池２０ａを用いた応急運転状態にあることを、容易に把握でき、たとえば、通常よりも短時間で調理を手際よく進める等の対応をとることができる。
【００８７】
以上、本発明の実施の形態について説明したが、本発明は、上記実施の形態によって何ら制限されるものではなく、また、本発明の実施の形態も、上記以外に種々の変更が可能である。
【００８８】
＜変更例＞
上記実施形態では、液晶表示器１５として反射型の液晶表示器が用いられたが、本変更例では、液晶表示器１５として半透過型の液晶表示器が用いられる。ここで、半透過型の液晶表示器は、バックライトを用いた表示形態（反射モード）と、外部から入射する自然光を用いた表示形態（透過モード）との２つの表示形態を切り替え可能となっている。
【００８９】
反射モードでは、バックライトが点灯されて、液晶の背面から液晶が照明される。これにより、液晶に表示された情報が視認可能となる。これに対し、透過モードでは、バックライトが消灯されて、液晶の前面から外部の自然光が取り込まれる。そして、取り込まれた自然光により背面から液晶が照明され、これにより、液晶に表示された情報が視認可能となる。したがって、半透過型の液晶表示器では、反射モードの方が、液晶に表示された情報を、より明瞭に視認することができる。
【００９０】
図７は、変更例に係る、表示動作の制御を示すフローチャートである。
【００９１】
図７のフローチャートは、図５のフローチャートのステップＳ１０４、Ｓ１０７が、それぞれ、ステップＳ１１１、Ｓ１１２に置き換えられ、さらに、図５のステップＳ１０５、Ｓ１０８が省略される。図７のフローチャートでは、表示モードがＬＥＤ表示モードと液晶表示モードとの間で切り替えられることがない。すなわち、ガスコンロ１の動作に関する情報は、通常運転時および応急運転時の何れにおいても、液晶表示器１５を用いて行われる。したがって、本変更例では、図１に示したＬＥＤランプ１０ｂ、１２ｂが省略される。図７のその他のステップは、図３の場合のステップと同様である。
【００９２】
ステップＳ１１１では、液晶表示器１５の表示形態が、バックライトを用いない透過モードに設定される。また、ステップＳ１１２では、液晶表示器１５の表示形態が、バックライトを用いた透過モードに設定される。すなわち、乾電池２０ａを用いた応急運転時にはバックライトが消灯され（Ｓ１１１）、商用電源を用いた通常運転時にはバックライトが点灯される（Ｓ１１２）。液晶表示器１５に表示される内容は、通常運転時と応急運転時とで変わりない。
【００９３】
この変更例によれば、応急運転時に液晶表示器１５のバックライトが消灯されるため、液晶表示器１５による電力消費を大きく低下させることができる。よって、応急運転を行える期間を効果的に長くすることができる。また、使用者は、応急運転時にも、液晶表示器１５により、ガスコンロ１に関する情報を把握できる。よって、応急運転時においても適切に、ガスコンロ１を使用することができる。
【００９４】
なお、変更例の構成においても、図１に示したＬＥＤランプ１０ｂ、１２ｂが配置され、応急運転時に、これらＬＥＤランプ１０ｂ、１２ｂが、上記実施形態と同様の制御により、補助的に点灯されてもよい。
【００９５】
＜その他の変更例＞
上記実施形態では、応急運転時に、ＬＥＤランプ１０ｂ、１２ｂにより、ガスコンロ１の動作状態が表示されたが、応急運転時にガスコンロ１の動作状態を表示する方法はこれに限られるものではない。また、ＬＥＤランプ１０ｂ、１２ｂの位置は、上記実施形態に示した位置に限られるものではなく、たとえば、点火ボタン１０にＬＥＤランプが配置されてもよい。この他、点火操作に応じて点火ボタン１０背面側から照明される構成であってもよい。
【００９６】
また、上記実施形態では、図５のステップＳ１０４において、液晶表示器１５のスタンバイポートに信号が印加することにより、液晶表示器１５の動作を停止させたが、液晶表示器１５の動作を停止される構成は、これに限られるものではない。たとえば、図４の降圧回路２２２で生成された電圧Ｖ１を液晶表示器１５およびその駆動回路に供給する給電ラインに、電圧の供給および遮断を切り替えるスイッチ回路を介挿し、このスイッチ回路を遮断状態に切り替えることによって、液晶表示器１５の動作を停止させてもよい。これにより、応急運転時の消費電力をより一層削減でき、応急運転が可能な時間をより効果的に長くすることができる。
【００９７】
また、応急運転時に停止される表示部は、液晶表示器１５に限られるものではなく、消費電力が高い他の表示器であってもよい。また、応急運転時にガスコンロ１の動作状態を表示するランプは、必ずしも、ＬＥＤを光源とするランプでなくてもよく、消費電力が低い他の光源によるランプであってもよい。
【００９８】
また、ガス流量を表示するためのＬＥＤランプ１０ａは、適宜省略されてもよい。さらに、上記実施形態において、ＬＥＤランプ１０ｂ、１２ｂとＬＥＤランプ１６の何れか一方が省略されてもよい。
【００９９】
また、ガスコンロ１の構成は、上記実施形態に示された構成に限られるものではなく、適宜種々の変更が可能である。たとえば、上記実施形態では、ガスコンロ１に３つのコンロ部４ａ、４ｂ、４ｃが設けられたが、ガスコンロ１に設けられるコンロ部の数はいくつであってもよい。
【０１００】
さらに、液晶表示器１５の位置は、上記実施形態に示した位置に限られるものではなく、他の位置であってもよい。たとえば、液晶表示器１５が、操作パネル１１、１３に配置されてもよい。また、液晶表示器１５は、図４に示した電圧Ｖ１で駆動されるものに限られるものではなく、電圧Ｖ０（１２ボルト）や他の電圧で駆動されるものであってもよい。
【０１０１】
この他、電池装着部２０に装着される乾電池２０ａの数は、上記実施形態に示した数（６つ）に限定されるものではない。また、上記実施形態では、２つの制御部２０２ａ、２０２ｂと通信回路２０３ｃが配置されたが、１つの制御部のみが配置されてもよい。
【０１０２】
この他、本発明の実施形態は、特許請求の範囲に記載の範囲で適宜変更可能である。
【符号の説明】
【０１０３】
１  ガスコンロ
１０ｂ、１２ｂ  ＬＥＤランプ（他の表示部）
１５  液晶表示器（表示部）
２０  電池装着部
２０ａ  乾電池
２０１  電源供給回路
２０２ａ  制御部
【図１】
2020118398.tif 000003
【図２】
2020118398.tif 000004
【図３】
2020118398.tif 000005
【図４】
2020118398.tif 000006
【図５】
2020118398.tif 000007
【図６】
2020118398.tif 000008
【図７】
2020118398.tif 000009